(57)【要約】  単一のオート表示と複数の絞り値の並び順を使用者が変更できるカメラシステム、カメラボディ、レンズユニット、絞り調節方法、およびプログラムを提供する。カメラシステムは、オートモードに対応する単一のオート表示とマニュアルモードに対応する複数の絞り値とを回転角度に応じて選択する絞りリングを備えるレンズユニットと、レンズユニットを交換可能に装着できるカメラボディと、を備え、カメラボディは、単一のオート表示と複数の絞り値の並び順を書き換え可能な表示部と、絞りリングの回転角度に対応する単一のオート表示と複数の絞り値の並び順を変更する変更モードを実行するカメラ制御部と、を備える。
2019039018.tif 000002
【特許請求の範囲】
【請求項１】
オートモードに対応する単一のオート表示とマニュアルモードに対応する複数の絞り値とを回転位置に応じて選択する絞りリングを備えるレンズユニットと、前記レンズユニットを交換可能に装着できるカメラボディと、を備えるカメラシステムであって、
前記カメラボディは、
前記単一のオート表示と前記複数の絞り値の並び順を書き換え可能な表示部と、
前記絞りリングの回転位置に対応する前記単一のオート表示と前記複数の絞り値の並び順を変更する変更モードを実行する、カメラ制御部と、
を備える、カメラシステム。
【請求項２】
前記変更モードは複数のサブ変更モードを含む、請求項１に記載のカメラシステム。
【請求項３】
前記複数のサブ変更モードは、前記複数の絞り値の並び順の反転を含む第１変更モードと、前記単一のオート表示の位置を変更する第２変更モードと、前記複数の絞り値から一の絞り値と前記単一のオート表示とに変更する第３変更モードと、前記単一のオート表示と前記複数の絞り値とから一の絞り値のみにする第４変更モードとを含む、請求項２に記載のカメラシステム。
【請求項４】
前記カメラ制御部は、前記複数のサブ変更モードに応じて、前記絞りリングの回転位置に対応する前記単一のオート表示および前記複数の絞り値の何れかを決定する、請求項３に記載のカメラシステム。
【請求項５】
前記レンズユニットは、前記絞りリングの回転位置を検出する位置検出部と、絞り径を調節する絞りユニットと、前記絞りユニットを駆動するレンズ制御部と、を備え、
前記カメラ制御部は、前記絞りユニットを駆動するための絞り制御信号を前記レンズ制御部に送信する、請求項１から４の何れか一項に記載のカメラシステム。
【請求項６】
前記絞り制御信号は、前記変更モードに対応する変更モード制御信号と、初期状態の並び順に対応する初期状態制御信号とを含む、請求項５に記載のカメラシステム。
【請求項７】
前記レンズ制御部は、前記絞りリングの回転位置に対応する位置番号と前記位置番号に対応する絞りの径の対応関係を記憶し、前記位置番号を前記カメラ制御部に送信する、請求項６に記載のカメラシステム。
【請求項８】
前記カメラ制御部は、前記変更モードにおいて、前記位置番号をアルゴリズムにしたがって新たな位置番号として算出する、請求項７に記載のカメラシステム。
【請求項９】
オートモードに対応する単一のオート表示とマニュアルモードに対応する複数の絞り値とを回転位置に応じて選択する絞りリングを備えるレンズユニットを交換可能に装着できるカメラボディであって、
前記絞りリングの回転位置に対応する前記単一のオート表示と前記複数の絞り値の並び順を変更する変更モードを実行する、カメラ制御部を備える、カメラボディ。
【請求項１０】
マニュアルモードに対応する複数の絞り値とオートモードに対応する単一のオート表示とを回転位置に応じて選択する絞りリングを備える、レンズユニットであって、
前記絞りリングの回転位置に対応する前記単一のオート表示と前記複数の絞り値の並び順を変更する変更モードを実行するレンズ制御部を備える、レンズユニット。
【請求項１１】
オートモードに対応する単一のオート表示とマニュアルモードに対応する複数の絞り値とを回転位置に応じて選択する絞りリングを備えるレンズユニットをカメラボディに装着し、前記レンズユニットの前記絞りリングの回転位置に対応する前記単一のオート表示と前記複数の絞り値の初期状態の並び順を取得するステップと、
前記初期状態の並び順を変更するため変更モードを選択するステップと、
前記変更モードに応じて前記初期状態の並び順を変更するステップと、
を含む、絞り調節方法。
【請求項１２】
オートモードに対応する単一のオート表示とマニュアルモードに対応する複数の絞り値とを回転位置に応じて選択する絞りリングを備えるレンズユニットをカメラボディに装着し、前記レンズユニットの前記絞りリングの回転位置に対応する前記単一のオート表示と前記複数の絞り値の初期状態の並び順を取得する手順と、
前記初期状態の並び順を変更するため変更モードを選択した後、前記変更モードに応じて前記初期状態の並び順を変更する手順と、をカメラシステムに実行させるためのプログラム。
【請求項１３】
非一時的かつコンピュータ読取可能な記録媒体であって、前記記録媒体に格納された指令がコンピュータによって読み取られた場合に、
オートモードに対応する単一のオート表示とマニュアルモードに対応する複数の絞り値とを回転位置に応じて選択する絞りリングを備えるレンズユニットをカメラボディに装着し、前記レンズユニットの前記絞りリングの回転位置に対応する前記単一のオート表示と前記複数の絞り値の初期状態の並び順を取得する手順と、
前記初期状態の並び順を変更するため変更モードを選択した後、前記変更モードに応じて前記初期状態の並び順を変更する手順と、
をカメラシステムに実行させる記録媒体。
【発明の詳細な説明】
【技術分野】
【０００１】
本発明は、カメラシステム、カメラボディ、レンズユニット、絞り調節方法、およびプログラムに関する。
【背景技術】
【０００２】
一眼レフデジタルカメラ等のカメラボディに装着されるレンズユニットとして、絞り値を調節するための絞りリングを有するレンズユニットが知られている。例えば、特許文献１は、絞り値を自動で調節するオートモードに対応するオート表示と、絞り値を使用者が決めるマニュアルモードに対応する複数の絞り値とを、使用者が絞りリングの回転位置に応じて選択することを開示する。
【先行技術文献】
【特許文献】
【０００３】
【特許文献１】特開２００５−２９２３２５号公報
【発明の概要】
【発明が解決しようとする課題】
【０００４】
しかしながら、特許文献１では、オート表示と複数の絞り値の並び順は、レンズユニット毎に固定されている。そのため、使用者が、オート表示と複数の絞り値の並び順を変更することはできなかった。【０００５】
本発明は、このような事情に鑑みてなされたもので、単一のオート表示と複数の絞り値の並び順を使用者が変更できるカメラシステム、カメラボディ、レンズユニット、絞り調節方法、およびプログラムを提供することを目的とする。
【課題を解決するための手段】
【０００６】
第１形態のカメラシステムは、オートモードに対応する単一のオート表示とマニュアルモードに対応する複数の絞り値とを回転位置に応じて選択する絞りリングを備えるレンズユニットと、レンズユニットを交換可能に装着できるカメラボディと、を備え、カメラボディは、単一のオート表示と複数の絞り値の並び順を書き換え可能な表示部と、絞りリングの回転位置に対応する単一のオート表示と複数の絞り値の並び順を変更する変更モードを実行するカメラ制御部と、を備える。【０００７】
第２形態のカメラシステムにおいて、変更モードは複数のサブ変更モードを含む。【０００８】
第３形態のカメラシステムにおいて、複数のサブ変更モードは、複数の絞り値の並び順の反転を含む第１変更モードと、単一のオート表示の位置を変更する第２変更モードと、複数の絞り値から一の絞り値と単一のオート表示とに変更する第３変更モードと、単一のオート表示と複数の絞り値とから一の絞り値のみにする第４変更モードとを含む。【０００９】
第４形態のカメラシステムにおいて、カメラ制御部は、複数のサブ変更モードに応じて、絞りリングの回転位置に対応する単一のオート表示および複数の絞り値の何れかを決定する。【００１０】
第５形態のカメラシステムは、レンズユニットは、絞りリングの回転位置を検出する位置検出部と、絞り径を調節する絞りユニットと、絞りユニットを駆動するレンズ制御部と、を備え、カメラ制御部は、絞りユニットを駆動するための絞り制御信号をレンズ制御部に送信する。【００１１】
第６形態のカメラシステムは、絞り制御信号は、変更モードに対応する変更モード制御信号と、初期状態の並び順に対応する初期状態制御信号とを含む。【００１２】
第７形態のカメラシステムは、レンズ制御部は、絞りリングの回転位置に対応する位置番号と位置番号に対応する絞りの径の対応関係を記憶し、位置番号をカメラ制御部に送信する。【００１３】
第８形態のカメラシステムは、カメラ制御部は、変更モードにおいて、位置番号をアルゴリズムにしたがって新たな位置番号として算出する。【００１４】
第９形態のカメラボディは、オートモードに対応する単一のオート表示とマニュアルモードに対応する複数の絞り値とを回転位置に応じて選択する絞りリングを備えるレンズユニットを交換可能に装着でき、絞りリングの回転位置に対応する単一のオート表示と複数の絞り値の並び順を変更する変更モードを実行するカメラ制御部を備える。【００１５】
第１０形態のレンズユニットは、マニュアルモードに対応する複数の絞り値とオートモードに対応する単一のオート表示とを回転位置に応じて選択する絞りリングを備え、絞りリングの回転位置に対応する単一のオート表示と複数の絞り値の並び順を変更する変更モードを実行するレンズ制御部を備える。【００１６】
第１１形態の絞り調節方法は、オートモードに対応する単一のオート表示とマニュアルモードに対応する複数の絞り値とを回転位置に応じて選択する絞りリングを備えるレンズユニットをカメラボディに装着し、レンズユニットの絞りリングの回転位置に対応する単一のオート表示と複数の絞り値の初期状態の並び順を取得するステップと、初期状態の並び順を変更するため変更モードを選択するステップと、変更モードに応じて初期状態の並び順を変更するステップと、を含む。【００１７】
第１２形態のプログラムは、オートモードに対応する単一のオート表示とマニュアルモードに対応する複数の絞り値とを回転位置に応じて選択する絞りリングを備えるレンズユニットをカメラボディに装着し、レンズユニットの絞りリングの回転位置に対応する単一のオート表示と複数の絞り値の初期状態の並び順を取得する手順と、初期状態の並び順を変更するため変更モードを選択した後、変更モードに応じて初期状態の並び順を変更する手順と、をカメラシステムに実行させる。
【発明の効果】
【００１８】
本発明によれば、単一のオート表示と複数の絞り値の並び順を使用者が変更できる。
【図面の簡単な説明】
【００１９】
【図１】図１は、カメラシステムの外観斜視図である。
【図２】図２は、レンズユニット、およびカメラボディの外観斜視図である。
【図３】図３は、カメラシステムの構成を示すブロック図である。
【図４】図４は、レンズユニットに設けられた位置検出部の構成を示す拡大斜視図である。
【図５】図５は、電気接点と符号板との接触位置と、絞りリングで選択できる表示領域中のオート表示と露光量表示との関係を示した図である。
【図６】図６は、電気接点と符号板とから取得される電気信号を説明する説明図である。
【図７】図７は、動作を示すフローチャートである。
【図８】図８は、対応テーブルの構成を示す表である。
【図９】図９は、カメラボディの外観構成を示す背面図である。
【図１０】図１０は、表示部に表示されるメニュー画面の一例を示す図である。
【図１１】図１１は、表示部に表示されるメニュー画面の一例を示す図である。
【図１２】図１２は、表示部に表示されるメニュー画面の一例を示す図である。
【図１３】図１３は、表示部に表示されるメニュー画面の一例を示す図である。
【図１４】図１４は、第１変更モードの算出結果を記載した表である。
【図１５】図１５は、第２変更モードにおける新位置番号を取得するフローチャートである。
【図１６】図１６は、第２変更モードの算出結果を記載した表である。
【図１７】図１７は、第３変更モードにおいて、新たな位置番号を取得するフローチャートである。
【図１８】図１８は、第３変更モードの算出結果を記載した表である。
【図１９】図１９は、第４変更モードの算出結果を記載した表である。
【図２０】図２０は、レンズユニットを交換した後の第２変更モードの算出結果を記載した表である。
【図２１】図２１は、レンズユニットを交換した後の第３変更モードの算出結果を記載した表である。
【図２２】図２２は、レンズユニットを交換した後の第４変更モードの算出結果を記載した表である。
【発明を実施するための形態】
【００２０】
以下、添付図面にしたがって本発明の好ましい実施形態について説明する。本発明は以下の好ましい実施形態により説明される。
【００２１】
本発明の範囲を逸脱すること無く、多くの手法により変更を行うことができ、実施形態以外の他の実施形態を利用することができる。したがって、本発明の範囲内における全ての変更が特許請求の範囲に含まれる。
【００２２】
実施形態のカメラシステムについて、図面を参照して説明する。図１はレンズユニットとカメラボディとを装着したカメラユニットの外観斜視図であり、図２は、レンズユニット、およびカメラボディの外観斜視図である。
【００２３】
本明細書では、光軸ＯＡに沿う方向（図１のＺ方向）を前後方向とし、被写体側を前方向とする。また、光軸ＯＡと直交する面において、イメージセンサ１３８（図２参照）の長辺に沿う方向（図１のＸ方向）を横方向、または左右方向とし、イメージセンサ１３８の短辺に沿う方向（図１のＹ方向）を縦方向、または上下方向とする。
【００２４】
図１に示されるように、カメラシステム１は、カメラボディ１００とレンズユニット２００とから構成される。実施形態のカメラシステム１は、レンズ交換式のカメラシステム１であり、レンズユニット２００がカメラボディ１００に交換可能に着脱自在に装着される。
【００２５】
図１および図２に示されるように、カメラボディ１００は、上下方向の高さに比較して、前後方向の厚みの薄い矩形の箱形状を有する。図１に示されるように、カメラボディ１００は、操作部材としてレリーズスイッチ１０２と、露出補正ダイヤル１０４と、シャッタースピードダイヤル１０６と、フォーカスモード切換レバー１０８と、ファインダー切換レバー１１０と、電源レバー１１４等を備える。レリーズスイッチ１０２と、露出補正ダイヤル１０４と、シャッタースピードダイヤル１０６は、カメラボディ１００の上側に配置される。
【００２６】
レリーズスイッチ１０２は、いわゆる「半押し」と「全押し」とを可能とする２段ストローク式のスイッチである。レリーズスイッチ１０２は、半押しされることによってＳ１オンの信号を出力し、半押しから、さらに押し込む全押しが行われることによってＳ２オンの信号を出力する。カメラシステム１は、レリーズスイッチ１０２からＳ１オン信号が出力されると自動焦点調節（ＡＦ（Auto  Focus）処理）や自動露出制御などの撮影準備処理を実行し、Ｓ２オン信号が出力されると撮影処理を実行する。
【００２７】
カメラボディ１００は、ホットシュー１１６と、電子ビューファインダー１１８と、光学ファインダー窓１１９と、グリップ１２０とを備える。グリップ１２０はカメラボディ１００の左側に配置される。ユーザーは、グリップ１２０を把持して、レリーズスイッチ１０２によりレリーズ操作する。
【００２８】
図２に示されるように、カメラボディ１００は、レンズ着脱ボタン１１２と、ボディマウント１２２とを備える。図２に示されるように、ボディマウント１２２は、レンズユニット２００を装着するための取り付け部である。ボディマウント１２２は、バヨネット構造により構成される。
【００２９】
レンズユニット２００と電気的に接続するため、ボディマウント１２２には、開口の内周に沿って、複数のボディ信号接点１３６が設けられる。ボディ信号接点１３６は、例えば、ピンで構成され、付勢手段（不図示）によりカメラボディ１００の前側に付勢される。
【００３０】
図２に示されるように、カメラボディ１００には、ボディマウント１２２の開口から露出するイメージセンサ１３８が配置される。イメージセンサ１３８は、レンズユニット２００を介して結像した被写体の像を電気信号に変換して出力する。イメージセンサ１３８には、ＣＣＤイメージセンサ（ＣＣＤ：Charged Coupled Device）、ＣＭＯＳイメージセンサ（ＣＭＯＳ：Complementary Metal Oxide Semiconductor）等の公知のイメージセンサが使用される。
【００３１】
ロックピン１３２がボディマウント１２２に配置される。ロックピン１３２は付勢手段（不図示）により、前側に付勢されている。レンズ着脱ボタン１１２の押圧操作に連動してロックピン１３２は後方向に退避できる。
【００３２】
図１および図２に示されるように、実施形態のレンズユニット２００は、少なくとも１つのレンズを含む光学系２０２と、光学系２０２を収容する鏡筒２０４と、フォーカスリング２０６と、絞りリング２０８と、レンズマウント２１０を含んでいる。レンズを含む光学系２０２とは、レンズに光を透過させることより、物体の像を形成するための光学部材の集合体を意味する。鏡筒２０４は、光学系２０２を収容できる略円筒形状の筒状体であり、光学系２０２を収容できる限り、その形状は限定されない。
【００３３】
レンズマウント２１０が、レンズユニット２００の鏡筒２０４の一端側、つまり鏡筒２０４の後側に、備えられる。レンズマウント２１０はバヨネット構造であり、バヨネット構造のボディマウント１２２に着脱自在に装着される。
【００３４】
図２に示されるように、レンズマウント２１０はマウントカバー２１２を備える。マウントカバー２１２には、カメラボディ１００と電気的に接続するため、複数のレンズ信号接点２１４が配置される。
【００３５】
レンズユニット２００の絞りリング２０８は円環状であり、鏡筒２０４の外周面に、光軸ＯＡを軸線の中心として回転可能に配置される。絞りリング２０８は、ユーザーが手動で回転操作して絞り調節を行うための操作部材である。絞りリング２０８は、その周面に、表示領域２１８を備える。表示領域２１８は、オートモードに対応する単一のオート表示２１８Ａと、マニュアルモードに対応する複数の絞り値を含む露光量表示２１８Ｂと、を備える。鏡筒２０４は、指標２２２を備える。表示領域２１８の単一のオート表示２１８Ａと、複数の絞り値を含む露光量表示２１８Ｂの何れかの表示を指標２２２に位置合わせするため、絞りリング２０８は回転操作される。絞りリング２０８によりオート表示２１８Ａである［Ａ］が選択された場合、すなわち、オート表示２１８Ａと指標２２２とが位置合わせされた場合、オートモードに対応するＡＥ（Auto Exposure）処理が設定可能になる。
【００３６】
マニュアルモードに対応する露光量表示２１８Ｂには、複数の絞り値であるＦ値が、［１６、  １１、  ８、  ５．６、  ４、  ２．８、  ２］の順に配列されている。絞りリング２０８により露光量表示２１８Ｂの何れかの絞り値が選択された場合、すなわち、露光量表示２１８Ｂの複数の絞り値の何れかと指標２２２とが位置合わせされた場合、絞り値が選択的に設定可能になる。Ｆ値は、焦点距離ｆのレンズの有効径Ｄに対する比（ｆ／Ｄ）で求められる。
【００３７】
さらに、後述するように、絞りリング２０８は、露光量表示２１８Ｂの隣接する２つの絞り値の間の所定の位置（間隔を３等分した何れかの位置）に合わせることによって、１／３段刻みに絞り値が選択的に設定可能に構成される。
【００３８】
図３は、カメラシステム１の構成を示すブロック図である。図３に示されるように、レンズユニット２００は、絞りリング２０８、レンズマウント２１０、レンズ信号接点２１４、位置検出部２２４、レンズ制御部２２６、モータドライバ２２８、モータ（Ｍ）２３０、および絞りユニット２３２等を備える。
【００３９】
レンズ制御部２２６は、ＣＰＵ（Central  Processing  Unit）と、このＣＰＵで使用されるプログラムやパラメータを記憶したＲＯＭ（Read  Only  Memory）と、ＣＰＵのワークメモリとして使用されるＲＡＭ（Random  Access  Memory）（何れも図示せず）などを備えたマイクロコンピュータを含む。レンズ制御部２２６は、レンズユニット２００の各部を制御する。レンズ制御部２２６に、位置検出部２２４、およびモータドライバ２２８が接続される。
【００４０】
レンズ制御部２２６は、カメラ制御部１４０の制御信号に基づき、絞りユニット２３２の絞り径を制御する絞り制御部、および位置検出部２２４から信号を取得して絞りリング２０８の回転位置を検出する回転位置検出部として機能する。レンズ制御部２２６が検出した絞りリング２０８の回転位置の情報は、レンズ信号接点２１４、およびボディ信号接点１３６を介してカメラボディ１００のカメラ制御部１４０に入力される。
【００４１】
絞りユニット２３２は複数枚の絞り羽根２３２Ａを有する。モータ２３０の駆動により複数枚の絞り羽根２３２Ａが移動し、イメージセンサ１３８への入射光量が調節される。モータドライバ２２８は、レンズ制御部２２６の制御に基づき、モータ２３０の駆動を制御する。
【００４２】
位置検出部２２４は、絞りリング２０８の回転位置を検出するためのポジションセンサである。位置検出部２２４からの検出信号は、レンズ制御部２２６に入力される。レンズ制御部２２６は、位置検出部２２４から入力される検出信号に基づいて絞りリング２０８の回転位置を検出する。絞りリング２０８の回転位置を検出することにより、指標２２２が、単一のオート表示２１８Ａと、複数の絞り値を含む露光量表示２１８Ｂの何れに位置合わせされているかの情報が得られる。この情報に基づいて、撮影処理の際、ＡＥ処理、および絞り値の何れ一つが選択される。
【００４３】
図３に示されるように、カメラボディ１００は、レリーズスイッチ１０２、ボディマウント１２２、ボディ信号接点１３６、イメージセンサ１３８、カメラ制御部１４０、バスライン１４２、画像メモリ１４４、画像データ処理部１４６、液晶ドライバ１４８、表示部１５０、およびカードＩ／Ｆ（Interface）１５２、およびＡＥ処理部１５４等を備える。
【００４４】
カメラ制御部１４０は、ＣＰＵと、このＣＰＵで使用されるプログラムやパラメータを記憶したＲＯＭ（非一時的かつコンピュータ読取可能な記録媒体）と、ＣＰＵのワークメモリとして使用されるＲＡＭ（何れも図示せず）などを備えている。カメラ制御部１４０は、カメラボディ１００と、カメラボディ１００に装着されたレンズユニット２００の各部を制御する。カメラ制御部１４０には、レリーズスイッチ１０２からＳ１信号、およびＳ２信号が入力される。また、カメラ制御部１４０は、ボディ信号接点１３６と電気的に接続される。
【００４５】
イメージセンサ１３８は、ノイズ除去回路、オートゲインコントローラ、Ａ／Ｄ（アナログ／デジタル）変換回路等の信号処理回路（何れも図示せず）を備える。ノイズ除去回路は、撮像信号にノイズ除去処理を施す。オートゲインコントローラは、撮像信号のレベルを最適な値に増幅する。Ａ／Ｄ変換回路は、撮像信号をデジタル信号に変換してイメージセンサ１３８からバスライン１４２に出力する。イメージセンサ１３８の電気信号は、画素ごとに１つの色信号を有する画像データ、いわゆるＲＡＷデータである。
【００４６】
画像メモリ１４４は、バスライン１４２に出力された１フレーム分の画像データを格納する。画像データ処理部１４６は、画像メモリ１４４から１フレーム分の画像データを読み出し、マトリクス演算、デモザイク処理、γ補正、輝度および色差変換、リサイズ処理などの公知の画像処理を施す。
【００４７】
液晶ドライバ１４８は、画像データ処理部１４６で画像処理された１フレーム分の画像データを順次に表示部１５０に入力する。表示部１５０は、ライブビュー画像を一定の周期で順次に表示する。カードＩ／Ｆ１５２は、カメラボディ１００に設けられたカードスロット（図示せず）内に組み込まれている。カードＩ／Ｆ１５２は、カードスロットに挿入されたメモリカード１５６と電気的に接続する。カードＩ／Ｆ１５２は、画像データ処理部１４６で画像処理された画像データをメモリカード１５６に格納する。また、メモリカード１５６に格納されている画像データを再生表示する際には、カードＩ／Ｆ１５２は、メモリカード１５６から画像データを読み出す。
【００４８】
カメラ制御部１４０は、絞りリング２０８の回転位置に応じて絞りユニット２３２を動作する制御信号をレンズ制御部２２６に送信する。
【００４９】
絞りリング２０８の回転位置が、オート表示２１８Ａに位置する場合、ＡＥ処理が実行される。ＡＥ処理部１５４は、１フレーム分の画像データから、各色信号の積算値を算出する。カメラ制御部１４０は、１フレーム分の画像ごとに算出される積算値に基づき露出値を算出し、この露出値から所定のプログラム線図に従って、シャッタ速度および露光量を決定する。そして、カメラ制御部１４０は、決定したシャッタ速度が得られるようにシャッタモータ（不図示）の駆動を制御し、制御信号をレンズ制御部２２６に送信する。レンズ制御部２２６は、制御信号に基づいてモータドライバ２２８を制御し、絞りユニット２３２を動作させる。絞りユニット２３２は、決定した露光量を得るための絞り径に変更される。
【００５０】
絞りリング２０８の回転位置が、露光量表示２１８Ｂに位置する場合、カメラ制御部１４０は、制御信号をレンズ制御部２２６に送信する。レンズ制御部２２６は制御信号に基づいてモータドライバ２２８を制御し、絞りユニット２３２は、絞りリング２０８の回転位置に対応する露光量を得る絞り径に変更される。
【００５１】
次に、図３に示される絞りリング２０８の回転位置を検出するための位置検出部２２４について、図４、図５および図６を参照して説明する。
【００５２】
図４は、レンズユニット２００に設けられた位置検出部２２４の構成を示す拡大斜視図である。図４に示されるように、位置検出部２２４は、符号板２４０と、絞りリング２０８の回転に応じて符号板２４０と接触位置を変化させる電気接点２５０と、を含んでいる。符号板２４０は、鏡筒２０４の外周面に取り付けられる。符号板２４０は、回路配線ＧＮＤ、Ｃ１、Ｃ２、Ｃ３、Ｃ４、Ｃ５およびＣ６により構成される導電部２４２と、回路配線ＧＮＤ、Ｃ１、Ｃ２、Ｃ３、Ｃ４、Ｃ５およびＣ６が構成されない非導電部２４４と、を備える。
【００５３】
電気接点２５０は４つの摺動切片２５０Ａ、２５０Ｂ、２５０Ｃ、および２５０Ｄを備える。電気接点２５０は、ネジ２５０Ｅにより絞りリング２０８に取り付けられ、絞りリング２０８の回転に伴い、電気接点２５０は、矢印に示す方向に、符号板２４０に摺動しながら移動する。電気接点２５０と、符号板２４０とは相対的に移動可能であればよい。
【００５４】
図５は、符号板２４０と電気接点２５０との接触位置と、絞りリング２０８で選択できる表示領域２１８中のオート表示２１８Ａと露光量表示２１８Ｂとの関係を示した図である。図５に示されるように、実施形態の絞りリング２０８は、単一のオート表示２１８Ａの［Ａ］と、露光量表示２１８Ｂの［１６］、［１４］、［１３］、［１１］、［１０］、［９］、［８］、［７．１］、［６．３］、［５．６］、［５］、［４．５］、［４］、［３．５］、［３．２］、［２．８］、［２．５］、［２．２］および［２］の１９段の絞り値と、から何れか一を選択することができる。電気接点２５０と符号板２４０との接触位置に応じて、それぞれ異なる電気信号が出力される。レンズ制御部２２６（不図示）は、電気接点２５０と符号板２４０とによる電気信号を検出し、絞りリング２０８の回転位置の情報を得ることができる。絞りリング２０８の回転位置が、表示領域２１８の単一のオート表示２１８Ａと、複数の絞り値を含む露光量表示２１８Ｂの何れの位置であるかが検出される。
【００５５】
実施形態においては、回路配線ＧＮＤには基準になるグランド電位が付与される。回路配線Ｃ１、Ｃ２、Ｃ３、Ｃ４、Ｃ５、およびＣ６には、グランド電位と異なる別電位（例えば、正の電位）が付与される。
【００５６】
電気接点２５０と符号板２４０との位置、すなわち、摺動切片２５０Ａ、２５０Ｂ、２５０Ｃ、および２５０Ｄと、回路配線ＧＮＤ、Ｃ１、Ｃ２、Ｃ３、Ｃ４、Ｃ５、およびＣ６との接触位置に応じて、それぞれグランド電位または別電位が、回路配線ＧＮＤ、Ｃ１、Ｃ２、Ｃ３、Ｃ４、Ｃ５、およびＣ６から出力される。実施形態では、グランド電位の信号が［０］として、また別電位の信号が［１］として出力される。
【００５７】
図５に示されるように、電気接点２５０が単一のオート表示２１８Ａの［Ａ］の位置にある場合、回路配線ＧＮＤと回路配線Ｃ１とが電気的に接続され、回路配線Ｃ１はグランド電位になる。回路配線Ｃ１から出力される電位の信号は［０］になる。一方、回路配線Ｃ２、Ｃ３、Ｃ４、Ｃ５およびＣ６は回路配線ＧＮＤと電気的に接続されていないので、回路配線Ｃ２、Ｃ３、Ｃ４、Ｃ５およびＣ６から出力される電位の信号は［１］になる。
【００５８】
また、電気接点２５０が露光量表示２１８Ｂの絞り値の一つである［１６］の位置にある場合、回路配線ＧＮＤと回路配線Ｃ１とが電気的に接続され、回路配線ＧＮＤと回路配線Ｃ２とが電気的に接続される。回路配線Ｃ１と回路配線Ｃ２はグランド電位になる。回路配線Ｃ１と回路配線Ｃ２とから出力される電位の信号は［０］になる。一方、回路配線Ｃ３、Ｃ４、Ｃ５およびＣ６は回路配線ＧＮＤと電気的に接続されていないので、回路配線Ｃ２、Ｃ３、Ｃ４、Ｃ５およびＣ６から出力される電位の信号は［１］になる。
【００５９】
同様に、残りに複数の絞り値（［１４］、［１３］、［１１］、［１０］、［９］、［８］、［７．１］、［６．３］、［５．６］、［５］、［４．５］、［４］、［３．５］、［３．２］、［２．８］、［２．５］、［２．２］および［２］）に対応して、異なる電位の信号が出力される。
【００６０】
図６は、オート表示２１８Ａおよび露光量表示２１８Ｂの複数の絞り値と、符号板２４０と電気接点２５０とから取得される電気信号との関係を説明する説明図である。図６の表に示されるように、絞りリング２０８がオート表示２１８Ａの［Ａ］に位置する場合、絞りリング２０８の回転位置の電気信号のパターンは［１１１１１０］になる。絞りリング２０８が露光量表示２１８Ｂの［１６］に位置する場合、絞りリング２０８の回転位置の電気信号は［１１１１００］になる。図６の表は、さらに、［１４］、［１３］、［１１］、［１０］、［９］、［８］、［７．１］、［６．３］、［５．６］、［５］、［４．５］、［４］、［３．５］、［３．２］、［２．８］、［２．５］、［２．２］および［２］の絞り値に対応する電気信号を示す。
【００６１】
図６の表に示されるように、隣接する電気信号は、１ビットずつ変化させたグレイコードにより構成される。
【００６２】
絞りリング２０８の回転に伴い、隣接する電気信号間で２ビット以上が同時に変化すると、この２ビット以上の各信号変化に時間差が存在する場合には、レンズ制御部２２６（不図示）が電気信号のパターンを誤認識する可能性がある。グレイコードは、レンズ制御部２２６が電気信号のパターンの誤認識することを防止している。
【００６３】
グレイコードは、符号板２４０の回路配線ＧＮＤ、Ｃ１、Ｃ２、Ｃ３、Ｃ４、Ｃ５およびＣ６の配置パターンと、電気接点２５０の摺動切片２５０Ａ、２５０Ｂ、２５０Ｃおよび２５０Ｄとの電気的な接触により実現される。
【００６４】
次に、実施形態のカメラシステム１の動作について、説明する。カメラボディ１００に装着されるレンズユニット２００として、図５および図６に示される、絞りリング２０８により単一のオート表示２１８Ａと１９段の露光量表示２１８Ｂとを切り換えるレンズユニット２００が例示される。
【００６５】
レンズユニット２００は、単一のオート表示２１８Ａと１９段の露光量表示２１８Ｂの回転位置を検出するため位置検出部２２４とを備える。絞りリング２０８の回転位置と、位置検出部２２４により生成される回転位置に対応する電気信号とは、レンズユニット２００毎に物理的に決定される。
【００６６】
図７は、絞り調節方法の一例を示すカメラシステム１の全体の動作を示すフローチャートである。まず、レンズユニット２００がカメラボディ１００に装着される（ステップＳ１１）。
【００６７】
次に、カメラボディ１００の電源がオンされると、レンズユニット２００のレンズ制御部２２６は、その内部のメモリに格納されている情報から、レンズユニットの初期状態における対応テーブルを作成する（ステップＳ１２）。
【００６８】
図８は、対応テーブルの構成を示す。対応テーブルは、絞りリング２０８の回転位置と電気信号とが、紐付された対応関係を含んでいる。回転位置と電気信号との対応関係はレンズユニット２００の構成により一義的に決定される。
【００６９】
また、絞りリング２０８の回転位置を示す［Ａ］、［１６］、［１４］、［１３］、［１１］、［１０］、［９］、［８］、［７．１］、［６．３］、［５．６］、［５］、［４．５］、［４］、［３．５］、［３．２］、［２．８］、［２．５］、［２．２］および［２］には、それぞれ（０）、（１９）、（１８）、（１７）、（１６）、（１５）、（１４）、（１３）、（１２）、（１１）、（１０）、（９）、（８）、（７）、（６）、（５）、（４）、（３）、（２）および（１）の位置番号が割り振られている。位置番号は、カメラボディ１００とレンズユニット２００との間で、絞りリング２０８の回転位置を特定するための情報として適用される。位置番号の割り振りについては、後述する。
【００７０】
さらに、（０）、（１９）、（１８）、（１７）、（１６）、（１５）、（１４）、（１３）、（１２）、（１１）、（１０）、（９）、（８）、（７）、（６）、（５）、（４）、（３）、（２）および（１）の位置番号には、それぞれ［ＡＥ］、［Ｆ１６］、［Ｆ１４］、［Ｆ１３］、［Ｆ１１］、［Ｆ１０］、［Ｆ９］、［Ｆ８］、［Ｆ７．１］、［Ｆ６．３］、［Ｆ５．６］、［Ｆ５］、［Ｆ４．５］、［Ｆ４］、［Ｆ３．５］、［Ｆ３．２］、［Ｆ２．８］、［Ｆ２．５］、［Ｆ２．２］および［Ｆ２］のユニット番号が紐付けられている。ユニット番号は、絞りユニット２３２の絞り羽根２３２Ａの絞り径の大きさに対応し、絞りユニット２３２を制御するための情報として適用される。
【００７１】
次に、レンズユニット２００の特性情報として、レンズユニット２００からカメラボディ１００に対応テーブルが送信される（ステップＳ１３）。レンズ制御部２２６は、レンズ信号接点２１４およびボディ信号接点１３６を介して、対応テーブルの情報をカメラ制御部１４０に送信する。
【００７２】
図７のフローチャートでは、レンズ制御部２２６が対応テーブルを作成する場合を説明した。これに限定されず、カメラ制御部１４０で対応テーブルを作成することができる。レンズユニット２００が電気信号のパターンを持っているが、レンズ制御部２２６が対応テーブルを作成できない場合でも、対応テーブルの作成がカメラボディ１００でも対応可能になる。
【００７３】
次に、レンズユニット２００において、レンズ制御部２２６は、位置検出部２２４から、現在の絞りリング２０８の回転位置に対応する電気信号を取得する（ステップＳ１４）。例えば、絞りリング２０８が［１６］の回転位置にある場合、位置検出部２２４から［１１１１００］の電気信号が、レンズ制御部２２６に入力される。
【００７４】
次に、レンズ制御部２２６は、位置検出部２２４からの電気信号に基づいて、位置番号を決定する（ステップＳ１５）。レンズ制御部２２６は、例えば、対応テーブルを利用し、位置検出部２２４からの電気信号に対応する位置番号を決定する。電気信号が［１１１１００］である場合、レンズ制御部２２６は、位置番号が（１９）であると決定する。
【００７５】
次に、レンズユニット２００からカメラボディ１００に位置番号が送信される（ステップＳ１６）。レンズ制御部２２６は、決定された位置番号を、レンズ信号接点２１４およびボディ信号接点１３６を介して、カメラ制御部１４０に送信する。絞りリング２０８の［１６］の回転位置に対応する位置番号（１９）が、レンズ制御部２２６からカメラ制御部１４０に送信される。
【００７６】
次に、撮影処理するためカメラボディ１００のレリーズスイッチ１０２を操作する（ステップＳ１７）。カメラボディ１００のレリーズスイッチ１０２が「半押し」、「全押し」等の操作がされる。
【００７７】
次に、変更モードの適用の有無、および変更モードの種類を確認する（ステップＳ１８）。レリーズスイッチ１０２が操作されると、カメラ制御部１４０は、変更モードの有無、および変更モードの種類を確認する。変更モードとは、絞りリング２０８の並び順が変更されている状態を意味する。変更モードが適用有りと判断されると、絞りリング２０８の並び順が変更されていると判断される。さらに、カメラ制御部１４０は、変更モードが複数のサブ変更モードを含んでいる場合、変更モードの種類、すなわち、変更モードが何れのサブ変更モードであるか、を確認する。サブ変更モードとは、絞りリング２０８の並び順の種類を意味する。
【００７８】
ステップＳ１８において、変更モードが適用無し、すなわち「Ｎｏ」と判断されると、ステップＳ１６で取得された位置番号に対応するユニット番号が、カメラボディ１００からレンズユニット２００に送信される（ステップＳ２０）。例えば、ステップＳ１６で、位置番号（１９）が送信されている場合、カメラ制御部１４０は、位置番号（１９）に対応するユニット番号［Ｆ１６］を選択し、ボディ信号接点１３６およびレンズ信号接点２１４を介して、ユニット番号［Ｆ１６］を絞り制御信号として、レンズ制御部２２６に送信する。レンズ制御部２２６は、ユニット番号［Ｆ１６］に基づいて、モータドライバ２２８を制御し、さらに、モータドライバ２２８はモータ２３０を制御する。絞りユニット２３２の絞り羽根２３２Ａは、絞り値［１６］の絞り径になるように駆動される。変更モードが適用されていないので、絞り制御信号は、初期状態制御信号となる。
【００７９】
次に、ステップＳ１８の「変更モードの適用の有無、および変更モードの種類を確認する」において、変更モードの適用有り、すなわち「Ｙｅｓ」と判断されると、カメラ制御部１４０は、変更モードの有無を判断し、さらに、サブ変更モードを特定する。
【００８０】
続いて、変更モードに応じて位置番号が算出される（ステップＳ１９）。カメラ制御部１４０は、ステップＳ１６で取得した位置番号を、変更モードに対応するアルゴリズムにしたがって、新たな位置番号として算出する。変更モードに対応するアルゴリズムは、プログラムとしてカメラ制御部１４０のＲＯＭに記憶され、カメラ制御部１４０のＣＰＵがプログラムを実行する。
【００８１】
例えば、ステップＳ１６で、位置番号（１９）が送信されている場合、カメラ制御部１４０は、ある種の変更モードに対応するアルゴリズムにしたがって、位置番号（１９）を新たな位置番号（２）として算出する。カメラ制御部１４０は、位置番号（２）に対応するユニット番号［Ｆ２］を選択し、ボディ信号接点１３６およびレンズ信号接点２１４を介して、ユニット番号［Ｆ２］を絞り制御信号としてレンズ制御部２２６に送信する。レンズ制御部２２６は、ユニット番号［Ｆ２］に基づいて、モータドライバ２２８を制御し、さらに、モータドライバ２２８はモータ２３０を制御する。絞りユニット２３２の絞り羽根２３２Ａは、絞り値２の絞り径になるように駆動される。変更モードが適用されると、絞りリング２０８が［１６］の回転位置に位置合わせされても、実際に撮影する際、絞りユニット２３２は、絞りリング２０８の絞り値［１６］ではなく、変更モード適用後の絞り値［２］となるように駆動される。すなわち、カメラシステム１は、絞りリング２０８の絞り値の並び順ではなく、変更された並び順で撮像することができる。変更モード有が適用されているので、絞り制御信号は変更モード制御信号となる。絞り制御信号は変更モード制御信号と初期状態制御信号とを含む。
【００８２】
次に、使用者が並び順を変更する手順について説明する。図９は、カメラボディ１００の外観構成を示す背面図である。図９に示されるように、カメラボディ１００は、コマンドダイヤル１６０、メニュー決定ボタン１６２、セレクトボタン１６４、および表示部１５０等を備える。使用者は、撮影条件の設定、その他の各種設定、および実施形態に係る絞りリングの並び順の変更を、コマンドダイヤル１６０、メニュー決定ボタン１６２、セレクトボタン１６４、および表示部１５０を用いて実行する。
【００８３】
実施形態では図２に示される、光軸ＯＡに沿って後方向から見て、左から右に［Ａ］から［２］の表示領域２１８を備えるレンズユニット２００を例示して説明する。以後の説明において、この並び順が初期状態（またはデフォルト）になる。
【００８４】
図１０から図１３は、表示部１５０に表示される絞りリング２０８の並び順の変更を可能にする表示部１５０の上に表示されるメニュー画面を示す図である。
【００８５】
カメラボディ１００にレンズユニット２００を装着した後、使用者はメニュー決定ボタン１６２を操作し、次いでセレクトボタン１６４で「絞りリング並びに順設定」を選択し、メニュー決定ボタン１６２で決定する。カメラ制御部１４０は、図１０に示される表示部１５０に絞りリング並びに順設定のメニューを表示する。絞りリング並びに順設定のメニュー画面から実行したい変更モードを選択し、次いで決定することにより、変更モードの実行が可能となる。
【００８６】
図１０に示されるように、絞りリング並びに順設定のメニューは、デフォルト、並び順変更、ＡＵＴＯ位置設定、および絞り値指定の４つを含んでいる。図１０において、他の３つと異なり、デフォルトが反転表示されている。この表示は、変更モードが適用されていなことを示す。したがって、絞りリング２０８の並び順は初期状態にある。なお、並び順変更、ＡＵＴＯ位置設定、および絞り値指定が、複数のサブ変更モードになる。
【００８７】
図１１は、セレクトボタン１６４で、並び順変更が選択され、メニュー決定ボタン１６２に決定された状態を示す。図１１において、他の３つと異なり、並び順変更が反転表示されている。さらに、サブメニューが表示される。サブメニューは選択可能な並び順を表示する。サブメニューの一番上は、並び順が、左から右に［Ａ］から［１６］に変更可能であることを示す。初期状態とは異なり、複数の絞り値の順が反転され、複数の絞り値の順は左から右に［２］から［１６］に変更される。一方、単一のオート表示の位置は初期状態と同じである。
【００８８】
サブメニューの真ん中は、他の２つと異なり、反転表示されている。サブメニューの真ん中が選択されていることを示している。サブメニューの真ん中は、並び順が［Ａ］から［１６］に変更可能であることを示す。初期状態とは異なり、単一のオート表示と複数の絞り値の順が反転され、並び順が左から右に［２］から［Ａ］に変更される。
【００８９】
サブメニューの一番下は、並び順が［１６］から［Ａ］に変更可能であることを示す。初期状態とは異なり、表示領域の順が反転し、単一のオート表示と複数の絞り値の順は左から右に［１６］から［Ａ］に変更される。
【００９０】
並び順変更モードで、並び順変更の何れか１つを選択することにより、サブ変更モードの一つである、複数の絞り値の並び順の反転を含む第１変更モードを、使用者は選択できる。
【００９１】
図１２は、セレクトボタン１６４で、ＡＵＴＯ位置指定が選択され、メニュー決定ボタン１６２に決定された状態を示す。図１２において、他の３つと異なり、ＡＵＴＯ位置指定が反転表示されている。さらに、サブメニューが表示される。サブメニューは、オート表示の［Ａ］を配置できる位置を表示する。
【００９２】
図１２に示されるように、サブメニューには、複数の絞り値の［４］から［７．１］が、上から下に表示されている。サブメニューは、上下に方向にスクロール可能であり、複数の絞り値の［２］から［１６］を表示できる。サブメニューには、オート表示に対応する［Ａ］が表示される。オート表示の［Ａ］から複数の絞り値に向けて矢印が表示される。実施形態では、矢印に対応する位置に、左右に延びる直線Ｌが表示される。直線Ｌを挟む位置に、隣接する絞り値の［５］と［５．６］とが表示される。実施形態では、隣接する絞り値の［５］と［５．６］との間に、オート表示を位置させることができる。
【００９３】
実施形態では、直線Ｌの表示位置は固定されている。複数の絞り値を上下方向にスクロールすることにより、直線Ｌと絞り値との相対位置を変更できる。ＡＵＴＯ位置指定のメニューを利用して、使用者は、複数の絞り値に対するオート表示の位置を任意に決定できる。
【００９４】
ＡＵＴＯ位置指定モードで、複数の絞り値に対してオート表示を挿入する位置を選択することにより、サブ変更モードの一つである、オート表示の位置を変更する第２変更モードを、使用者は選択できる。
【００９５】
図１３は、セレクトボタン１６４で、絞り値指定が選択され、メニュー決定ボタン１６２に決定された状態を示す。図１３において、他の３つと異なり、絞り値指定が反転表示されている。さらに、サブメニューが表示される。サブメニューは、ＡＵＴＯマスクと固定とを表示する。サブメニューは、さらに、複数の絞り値の［４．５］から［７．１］を上から下に表示する。複数の絞り値は上下方向にスクロールできる。
【００９６】
実施形態では、選択されているＡＵＴＯマスクが反転表示されている。また、複数の絞り値の中で、選択されている絞り値の［５．６］が反転表示されている。ＡＵＴＯマスクでは、選択された絞り値の［５．６］以外は、全てオート表示の［Ａ］に変更できる。
【００９７】
ＡＵＴＯマスクモードで、複数の絞り値の何れか一を選択することにより、サブ変更モードの一つである、複数の絞り値から一の絞り値と単一のオート表示とに変更する第３変更モードを、使用者は選択できる。
【００９８】
次に、選択されていない固定について説明する。固定を選択すると、ＡＵＴＯマスクと同様に、サブメニューは、さらに、複数の絞り値の［４．５］から［７．１］を上から下に表示する。複数の絞り値は上下方向にスクロールできる。
【００９９】
例えば、サブメニューから、複数の絞り値の中で絞り値の［５．６］を選択することにより、絞り値の［５．６］のみが選択可能となる。オート表示は選択されない。
【０１００】
固定モードで、複数の絞り値の何れか一を選択することにより、サブ変更モードの一つである、単一のオート表示と複数の絞り値とから一の絞り値のみにする第４変更モードを、使用者は選択できる。
【０１０１】
次に、変更モードにおいて、各サブ変更モードに応じて、初期状態の位置番号から、アルゴリズムにしたがって新たに位置番号を算出する方法を説明する。なお、以下の算出はカメラボディ１００のカメラ制御部１４０により実行される。
【０１０２】
＜第１変更モード＞
まず、複数の絞り値の並び順の反転を含む第１変更モードのアルゴリズムについて、プログラムリストを参照に説明する。なお、図１１のサブメニューに示される一番上の表示を１−Ａモード、真ん中の表示を１−Ｂモード、および一番下の表示を１−Ｃモードと称する。なお、図１４は、第１変更モードの算出結果を記載した表である。
【０１０３】
（１−Ａモード）
装着されるレンズユニット２００の複数の絞り値の数（いわゆる段数）をIP_MAXとする。図１４に示されるように、初期状態では、絞り値の数は１９である。したがって、IP_MAX＝１９になる。［Ａ］の回転位置に対して、位置番号として、I_RING_POS_DEF_A=（０）が割り振られる。すなわち、［Ａ］の位置番号は（０）となる。複数の絞り値の中で、最も大きな絞り値（いわゆる最小小絞り）の［１６］の回転位置に対して、位置番号として、I_RING_POS_DEF_MAX=IP_MAXが割り振られる。すなわち、［１６］の位置番号は（１９）となる。複数の絞り値の中で、最も小さな絞り値（いわゆる開放Ｆ値）の［２］の回転位置に対して、位置番号として、I_RING_POS_DEF_MIN=（１）が割り振られる。すなわち、［２］の位置番号は（１）となる。
【０１０４】
実施形態の１９段の絞り値の回転位置に対する位置番号は、最も小さな絞り値の位置番号（１）から（IP_MAX）の間の正数の値を取り得る。したがって、実施形態では、図１４に示されるように、１９段の回転位置（［１６］から［２］）に対して、位置番号は（１９）、（１８）、（１７）、（１６）、（１５）、（１４）、（１３）、（１２）、（１１）、（１０）、（９）、（８）、（７）、（６）、（５）、（４）、（３）、（２）および（１）となる。
【０１０５】
実施形態では、初期状態の現在位置番号はI_RING_POS_CURRENT＝（Ｎ）とされ、算出後の新たな位置番号、すなわち新位置番号は、I_RING_POS_REARRANGEとされる。（Ｎ）は、（０）または（１）から（IP_MAX）の整数の値を取り得る。実施形態では（０）または（１）から（１９）の正数を取り得る。
【０１０６】
１−Ａモードでは、以下の式（１−Ａ）で、新たな位置番号が算出される。
【０１０７】
新位置番号（I_RING_POS_REARRANGE）＝{(IP_MAX+1)−現在位置番号（I_RING_POS_CURRENT）}%(IP_MAX+1)  ・・・式（１−Ａ）。ここで、％は余りを示す。
【０１０８】
回転位置［Ａ］、［１６］および［２］を例に、現在位置番号から新位置番号を算出する。レンズユニット２００は１９段を有するので、(IP_MAX+1)＝１９+１＝２０となる。［Ａ］について、現在位置番号（I_RING_POS_CURRENT）＝（０）である。式（１−Ａ）に代入すると新位置番号は以下になる。
【０１０９】
新位置番号（I_RING_POS_REARRANGE）＝{２０−（０）}%２０＝（０）になる。
【０１１０】
［１６］について、現在位置番号（I_RING_POS_CURRENT）＝（１９）である。式（１−Ａ）に代入すると新位置番号は以下となる。
【０１１１】
新位置番号（I_RING_POS_REARRANGE）＝{２０−（１９）}%２０＝（１）になる。
【０１１２】
［２］について、現在位置番号（I_RING_POS_CURRENT）＝（１）である。式（１−Ａ）に代入すると新位置番号は以下となる。
【０１１３】
新位置番号（I_RING_POS_REARRANGE ）＝{２０−（１）}%２０＝（１９）になる。
【０１１４】
他の絞り値に関して、算出後の位置番号が、図１４の表の１−Ａモードに記載されている。各位置番号に対応するユニット番号が記載されている。
【０１１５】
（１−Ｂモード）
１−Ｂモードでは、以下の式（１−Ｂ）で、新たな位置番号が算出される。
【０１１６】
新位置番号（I_RING_POS_REARRANGE） = {(IP_MAX+2) − 現在位置番号（I_RING_POS_CURRENT）} % (IP_MAX+1)  ・・・式（１−Ｂ）。ここで、％は余りを示す。
【０１１７】
回転位置［Ａ］、［１６］および［２］を例に、位置番号を算出する。レンズユニット２００は１９段を有するので、(IP_MAX+2)＝１９+２＝２１になる。
【０１１８】
［Ａ］について、現在位置番号（I_RING_POS_CURRENT）＝（０）である。式（１−Ｂ）に代入すると新位置番号は以下となる。
【０１１９】
新位置番号（I_RING_POS_REARRANGE）＝{２１−（０）}%２０＝（１）になる。
【０１２０】
［１６］について、現在位置番号（I_RING_POS_CURRENT）＝（１９）である。式（１−Ｂ）に代入すると新位置番号は以下となる。
【０１２１】
新位置番号（I_RING_POS_REARRANGE）＝{２１−（１９）}%２０＝（２）になる。
【０１２２】
［２］について、現在位置番号（I_RING_POS_CURRENT）＝（１）である。式（１−Ｂ）に代入すると新位置番号は以下となる。
【０１２３】
新位置番号（I_RING_POS_REARRANGE）＝{２１−（１）}%２０＝（０）になる。
【０１２４】
他の絞り値に関して、算出後の位置番号が、図１４の表の１−Ｂモード欄に記載されている。各位置番号に対応するユニット番号が記載されている。
【０１２５】
（１−Ｃモード）
１−Ｃモードでは、以下の式（１−Ｃ）で、新たな位置番号が算出される。
【０１２６】
新位置番号（I_RING_POS_REARRANGE）＝{IP_MAX +現在位置番号（I_RING_POS_CURRENT）} % (IP_MAX+1) ・・・式（１−Ｃ）。ここで、％は余りを示す。
【０１２７】
回転位置［Ａ］、［１６］および［２］を例に、位置番号を算出する。レンズユニット２００は１９段を有するので、(IP_MAX+1)＝１９+１＝２０になる。
【０１２８】
［Ａ］について、現在位置番号（I_RING_POS_CURRENT）＝（０）である。式（１−Ｃ）に代入すると新位置番号は以下となる。
【０１２９】
新位置番号（I_RING_POS_REARRANGE）＝{１９+（０）}%２０＝（１９）になる。
【０１３０】
［１６］について、現在位置番号（I_RING_POS_CURRENT）＝（１９）である。式（１−Ｃ）に代入すると新位置番号は以下となる。
【０１３１】
新位置番号（I_RING_POS_REARRANGE）＝{１９+（１９）}%２０＝（１８）になる。
【０１３２】
［２］について、現在位置番号（I_RING_POS_CURRENT）＝（１）である。式（１−Ｃ）に代入すると新位置番号は以下となる。
【０１３３】
新位置番号（I_RING_POS_REARRANGE）＝{１９+（１）}%２０＝（０）になる。
【０１３４】
他の絞り値に関して、算出後の位置番号が、図１４の表の１−Ｃモード欄に記載されている。各位置番号に対応するユニット番号が記載されている。
【０１３５】
カメラシステム１で撮影する際、１−Ａモード、１−Ｂモード、および１−Ｃモードの各モードに応じて位置番号に対応するユニット番号が制御信号としてカメラボディ１００からレンズユニット２００に送信される。ユニット番号に対応する絞り径となるように、絞りユニット２３２は駆動される。絞りリング２０８の順が並び替えられたことが理解できる。
【０１３６】
第１変更モードでは、図１１に示されるメニュー画面で選択することにより、式（１−Ａ）、式（１−Ｂ）、および式（１−Ｃ）の何れを適用するかが決定される。
【０１３７】
＜第２変更モード＞
図１５は、第２変更モードにおいて、新たな位置番号を取得するフローチャートである。図１６は、第２変更モードの算出結果を記載した表である。
【０１３８】
第２変更モードでは、［Ａ］が挿入される挿入位置番号がI_RING_POS_A_INSERTとされる。挿入位置番号（I_RING_POS_A_INSERT）が取り得る値は（０）または正の整数である。
【０１３９】
まず、スタートの時点で、図１２に示されるメニュー画面から、［Ａ］の挿入位置が決定される。次に、［Ａ］の挿入位置番号（I_RING_POS_A_INSERT）が取得される（ステップＳ３１）。例えば、挿入位置が［６．３］と［５．６］の間の場合（２−Ａモード）、挿入位置番号（I_RING_POS_A_INSERT）=（１０）になる。［Ａ］の挿入位置が［４．５］と［４］の間の場合（２−Ｂモード）、挿入位置番号（I_RING_POS_A_INSERT）=（７）になる。［Ａ］の挿入位置が［２］より外側の場合（２−Ｃモード）、挿入位置番号（I_RING_POS_A_INSERT）=（０）になる。［Ａ］の挿入位置が［１６］と［１４］より外側の場合（２−Ｄモード）、挿入位置番号（I_RING_POS_A_INSERT）=(IP_MAX−1)＝（１８）になる。
【０１４０】
次に、別のレンズユニットが装着された場合、挿入位置番号（I_RING_POS_A_INSERT）が、別のレンズユニットの段数（IP_MAX）より大きいかが判断される（ステップＳ３２）。ここで、「Ｙｅｓ」と判断されると、挿入位置番号（I_RING_POS_A_INSERT）が変更される（ステップＳ３３）。挿入位置番号（I_RING_POS_A_INSERT）= IP_MAX−1になる。ここで、「Ｎｏ」と判断されると、挿入位置番号（I_RING_POS_A_INSERT）の変更は実行されない。
【０１４１】
次に、現在位置番号（I_RING_POS_CURRENT）が取得される（ステップＳ３４）。上述と同様に現在位置番号（I_RING_POS_CURRENT）＝（Ｎ）が取得される。
【０１４２】
次に、現在位置番号（I_RING_POS_CURRENT）＝（０）かが判断される（ステップＳ３５）。ここで、「Ｙｅｓ」と判断されると、新位置番号（I_RING_POS_REARRANGE）＝IP_MAXになる（ステップＳ３６）。図１６に示されるように、１９段のレンズユニット２００ではIP_MAX＝１９である。初期状態の現在位置番号（I_RING_POS_CURRENT）＝（０）の場合、２−Ａモード、２−Ｂモード、２−Ｃモード、および２−Ｄモードにおいて、新位置番号（I_RING_POS_REARRANGE）＝（１９）になる。
【０１４３】
現在位置番号（I_RING_POS_CURRENT）＝（０）が「Ｎｏ」と判断されると（ステップＳ３５）、次に、現在位置番号（I_RING_POS_CURRENT）≦挿入位置番号（I_RING_POS_A_INSERT）であるかが判断される（ステップＳ３７）。ここで、「Ｙｅｓ」と判断されると、新位置番号（I_RING_POS_REARRANGE）＝現在位置番号（I_RING_POS_CURRENT）になる（ステップＳ３８）。図１６に示されるように、２−Ａモードについて、挿入位置番号（I_RING_POS_A_INSERT）＝（１０）である。初期状態の現在位置番号（I_RING_POS_CURRENT）が（１）〜（１０）の範囲では、新位置番号（I_RING_POS_REARRANGE）＝現在位置番号（I_RING_POS_CURRENT）になる。
【０１４４】
２−Ｂモードについて、挿入位置番号（I_RING_POS_A_INSERT）＝（７）である。初期状態の現在位置番号（I_RING_POS_CURRENT）が（１）〜（７）の範囲では、新位置番号（I_RING_POS_REARRANGE）＝現在位置番号（I_RING_POS_CURRENT）になる。
【０１４５】
２−Ｄモードについて、挿入位置番号（I_RING_POS_A_INSERT）＝（１８）である。初期状態の現在位置番号（I_RING_POS_CURRENT）が（１）〜（１８）の範囲では、新位置番号（I_RING_POS_REARRANGE）＝現在位置番号（I_RING_POS_CURRENT）になる。
【０１４６】
現在位置番号（I_RING_POS_CURRENT）≦ 入位置番号（I_RING_POS_A_INSERT）が「Ｎｏ」と判断されると（ステップＳ３７）、現在位置番号（I_RING_POS_CURRENT） ≦ 挿入位置番号（I_RING_POS_A_INSERT）＋１かが判断される（ステップＳ３９）。ここで、「Ｙｅｓ」と判断されると、新位置番号（I_RING_POS_REARRANGE）＝（０）になる（ステップＳ４０）。
【０１４７】
図１６に示されるように、２−Ａモードにおいて、初期状態の現在位置番号（I_RING_POS_CURRENT）＝（１１）の場合、２−Ｂモードにおいて、初期状態の現在位置番号（I_RING_POS_CURRENT）＝（８）の場合、２−Ｃモードにおいて、初期状態の現在位置番号（I_RING_POS_CURRENT）＝（１）の場合、２−Ｄモードにおいて、初期状態の現在位置番号（I_RING_POS_CURRENT）＝（１９）の場合、新位置番号（I_RING_POS_REARRANGE）＝（０）になる。
【０１４８】
現在位置番号（I_RING_POS_CURRENT） ≦ 挿入位置番号（I_RING_POS_A_INSERT）＋１が「Ｎｏ」と判断されると（ステップＳ３９）、以下の式（２）に基づいて、新位置番号＝ｆ（現在位置番号）により、新位置番号が算出される（ステップＳ４１）。
【０１４９】
新位置番号（I_RING_POS_REARRANGE）＝{IP_MAX + 現在位置番号（I_RING_POS_CURRENT）}%(IP_MAX+1)・・・式（２）。ここで、％は余りを示す。
【０１５０】
２−Ａモードにおいて、初期状態の現在位置番号（I_RING_POS_CURRENT）＝（１２）の場合、式（２）に代入すると新位置番号は以下になる。
新位置番号（I_RING_POS_REARRANGE）＝{１９+（１２）}%(２０)＝（１１）になる。
【０１５１】
２−Ｂモードにおいて、初期状態の現在位置番号（I_RING_POS_CURRENT）＝（９）の場合、式（２）に代入すると新位置番号は以下になる。
【０１５２】
新位置番号（I_RING_POS_REARRANGE）＝{１９+（９）}%(２０)＝（８）になる。
【０１５３】
２−Ｃモードにおいて、初期状態の現在位置番号（I_RING_POS_CURRENT）＝（１）の場合、式（２）に代入すると新位置番号は以下になる。
【０１５４】
新位置番号（I_RING_POS_REARRANGE）＝{１９+（１）}%(２０)＝（０）になる。
【０１５５】
第２変更モードにおける算出後の位置番号が、図１６の表の２−Ａモード欄、２−Ｂモード欄、２−Ｃモード欄、および２−Ｄモード欄に記載されている。図１６の表に各位置番号に対応するユニット番号が記載されている。
【０１５６】
カメラシステム１で撮影する際、２−Ａモード、２−Ｂモード、２−Ｃモード、および２−Ｄモードの各モードの位置番号に対応するユニット番号が制御信号としてカメラボディ１００からレンズユニット２００に送信される。ユニット番号に対応する絞り径となるように、絞りユニット２３２は駆動される。絞りリング２０８の順が並び替えられたことが理解できる。
【０１５７】
＜第３変更モード＞
図１７は、第３変更モードにおいて、新たな位置番号を取得するフローチャートである。図１８は、第３変更モードの算出結果を記載した表である。
【０１５８】
第３変更モードでは、指定した絞り値の位置番号（以下、指定位置番号）がI_RING_POS_MASKとされる。指定位置番号（I_RING_POS_MASK）が取り得る値は０または正の整数である。
【０１５９】
まず、スタートの時点で、図１３に示されるメニュー画面から、指定したい絞り値が決定される。第３変更モードでは、指定した絞り値以外は全て［Ａ］に変更される。
【０１６０】
次に、指定位置番号（I_RING_POS_MASK）が取得される（ステップＳ６１）。  ［５．６］以外が全て［Ａ］に変更される場合（３−Ａモード）、指定位置番号（I_RING_POS_MASK）=（１０）になる。［４］以外が全て［Ａ］と変更される場合（３−Ｂモード）、指定位置番号（I_RING_POS_MASK）=（７）になる。
【０１６１】
次に、別のレンズユニットが装着された場合、取得された指定位置番号（I_RING_POS_MASK）が、別のレンズユニットの段数（IP_MAX）以上かが判断される（ステップＳ６２）。ここで、「Ｙｅｓ」と判断されると、指定位置番号（I_RING_POS_MASK）が変更される（ステップＳ６３）。指定位置番号（I_RING_POS_MASK）= IP_MAXになる。ここで、「Ｎｏ」と判断されると、指定位置番号（I_RING_POS_MASK）の変更は実行されない。
【０１６２】
次に、現在位置番号（I_RING_POS_CURRENT）が取得される（ステップＳ６４）。上述と同様に現在位置番号（I_RING_POS_CURRENT）＝（Ｎ）が取得される。
【０１６３】
次に、現在位置番号（I_RING_POS_CURRENT）＝指定位置番号（I_RING_POS_MASK）かが判断される（ステップＳ６５）。ここで、「Ｙｅｓ」と判断されると、新位置番号（I_RING_POS_REARRANGE）＝指定位置番号（I_RING_POS_MASK）になる（ステップＳ６６）。
【０１６４】
図１８に示されるように、３−Ａモードにおいて、初期状態の現在位置番号（I_RING_POS_CURRENT）＝（１０）の場合、新位置番号（I_RING_POS_REARRANGE）＝（１０）になる。３−Ｂモードにおいて、初期状態の現在位置番号（I_RING_POS_CURRENT）＝（７）の場合、新位置番号（I_RING_POS_REARRANGE）＝（７）になる。
【０１６５】
現在位置番号（I_RING_POS_CURRENT）=指定位置番号（I_RING_POS_MASK）が「Ｎｏ」と判断されると（ステップＳ６５）、新位置番号（I_RING_POS_REARRANGE）＝（０）になる（ステップＳ６７）。
【０１６６】
図１８に示されるように、３−Ａモードにおいて、初期状態の現在位置番号（I_RING_POS_CURRENT）＝（１０）以外の場合、新位置番号（I_RING_POS_REARRANGE）＝（０）になる。３−Ｂモードにおいて、初期状態の現在位置番号（I_RING_POS_CURRENT）＝（７）以外の場合、新位置番号（I_RING_POS_REARRANGE）＝（０）になる。
【０１６７】
第３変更モードにおける算出後の位置番号が、図１８の表の３−Ａモード欄、および３−Ｂモード欄に記載されている。各位置番号に対応するユニット番号が記載されている。
【０１６８】
カメラシステム１で撮影する際、各モードの位置番号に対応するユニット番号が制御信号としてカメラボディ１００からレンズユニット２００に送信される。ユニット番号に対応する絞り径となるように、絞りユニット２３２は駆動される。絞りリング２０８の順が並び替えられたことが理解できる。
【０１６９】
＜第４変更モード＞
図１９は、第４変更モードの算出結果を記載した表である。
【０１７０】
第４変更モードにおいて、まず、図１３に示されるメニュー画面から、固定したい絞り値が決定される。第４変更モードでは、固定したい絞り値の位置番号（以下、固定位置番号）がI_RING_POS_FIXとされる。固定位置番号（I_RING_POS_FIX）が取り得る値は（０）または正の整数である。
【０１７１】
［５．６］に固定したい場合（４−Ａモード）、固定位置番号（I_RING_POS_FIX）＝（１０）になる。［４］に固定したい場合（４−Ｂモード）、固定位置番号（I_RING_POS_FIX）＝（７）になる。
【０１７２】
次に、別のレンズユニットが装着された場合、設定された固定位置番号（I_RING_POS_FIX）が、別のレンズユニットの段数（IP_MAX）より大きいかが判断される。固定位置番号（I_RING_POS_FIX）＞P_MAXの場合、固定位置番号（I_RING_POS_FIX）=IP_MAXに変更される。
【０１７３】
第４変更モードにおいては、新位置番号（I_RING_POS_REARRANGE）=固定位置番号（I_RING_POS_FIX）になる。４−Ａモードでは、新位置番号（I_RING_POS_REARRANGE）＝（１０）になり、４−Ｂモードでは、新位置番号（I_RING_POS_REARRANGE）＝（７）になり、第４変更モードにおける算出後の位置番号が、図１９の表の４−Ａモード欄、および４−Ｂモード欄に記載されている。各位置番号に対応するユニット番号が記載されている。
【０１７４】
カメラシステム１で撮影する際、各モードの位置番号に対応するユニット番号が制御信号としてカメラボディ１００からレンズユニット２００に送信される。ユニット番号に対応する絞り径となるように、絞りユニット２３２は駆動される。絞りリング２０８の順が並び替えられたことが理解できる。
【０１７５】
実施形態では、新位置番号を算出する複数のアルゴリズムを示したが、こられに限定されない。実施形態において、新位置番号が一定の規則に基づき算出できることが重要であると理解できる。実施形態によれば、使用者自身が絞りリングの並び順を変更することにより、使用者はスムーズな絞りリングの切り替え動作を可能にすることができる。
【０１７６】
以下、第１変更モードから第４変更モードによる効果を説明する。
【０１７７】
例えば、オートモードとマニュアルモードの開放Ｆ値の使用頻度が高い場合、図１４に示される、１−Ａモード、または１−Ｃモードに変更することにより、使用者は絞りリングの回転量を低減できる。
【０１７８】
１−Ｂモードに変更することにより、使用者は、絞りリングの回転方向、および回転端での絞り値を操作しやすい位置に変更することができる。
【０１７９】
第２変更モード、または第３変更モードに変更することにより、使用頻度の高い絞り値の近くに、オートモードの［Ａ］を配置できるので、使用者は絞り優先モードとオートモードとの切り替えをスムーズにすることが可能になる。
【０１８０】
第４変更モードに変更することにより、使用者は、意図しない絞りリングの回転に起因する設定絞り値からのずれを防ぐことができる。
【０１８１】
上述の実施形態では、カメラボディ１００のカメラ制御部１４０が、変更モード（新位置番号の算出）を実行する場合に説明した。変更モードの実行はカメラ制御部１４０に限定されず、レンズユニット２００のレンズ制御部２２６が、変更モードを実行してもよい。
【０１８２】
レンズユニット２００で変更モードを実行する場合を、図７を参照して説明する。図７のフローチャートに示されるように、ステップＳ１１からステップＳ１５までが実行される。次に、レンズユニット２００のレンズ制御部２２６が、カメラ制御部１４０に変更モードの適用の有無、および変更モードの種類を確認する。この確認はステップＳ１８に相当する。変更モードの適用有り、すなわち「Ｙｅｓ」と判断されると、レンズ制御部２２６は、変更モードの有無を判断し、さらに、サブ変更モードを特定する。レンズ制御部２２６が変更モードに応じて新位置番号を算出する。位置番号の算出はステップＳ１９に相当する。
【０１８３】
新位置番号が算出されると、レンズ制御部２２６は絞りユニット２３２を制御する。絞りユニット２３２の絞り羽根２３２Ａは、新位置番号に対応する絞り径になるように駆動される。変更モードが適用されない場合は、レンズ制御部２２６は初期状態の絞り値の位置番号に対応する絞り径になるように絞りユニット２３２を制御する。レンズユニット２００から、現在の位置番号が送信される。
【０１８４】
カメラボディ１００のレリーズスイッチ１０２が操作されると、撮影処理が実行される。その際、既にレンズユニット２００の絞り径はレンズ制御部２２６により制御されている。
【０１８５】
次に、絞りリング並び変え順を設定した際に装着していたレンズユニット（以下、第１レンズユニット）と、別のレンズユニット（以下、第２レンズユニット）を装着した場合について説明する。
【０１８６】
第１レンズユニットと第２レンズユニットとが、複数の絞り値と絞りリングについて同じ位置関係を有する場合、第１レンズユニットの変更モードが、第２レンズユニットにそのまま適用される。
【０１８７】
一方、第１レンズユニットと第２レンズユニットとが、複数の絞り値と絞りリングについて異なる位置関係を有する場合、以下の態様を適用することで、第２レンズユニットに対して同様の変更モードを適用できる。
【０１８８】
＜第２変更モード＞
図２０は、レンズユニットを交換した後の第２変更モードの算出結果を記載した表である。図２０に示されるように、第１レンズユニットを装着した際、［Ａ］を［６．３］と［５．６］の間に挿入することが決定されている。挿入位置番号（I_RING_POS_A_INSERT）＝（１０）になる。挿入位置番号（I_RING_POS_A_INSERT）＝（１０）に対応するユニット番号（対応する絞り値）が、対応絞り値（I_RING_POS_ARRANGE_FNUM）＝［Ｆ５．６］として保持される。
【０１８９】
次に、第２レンズユニットを装着した際、図２０に示される第２レンズユニットの初期状態の対応テーブルの情報が、例えばカメラ制御部１４０に取得される。対応絞り値（I_RING_POS_ARRANGE_FNUM）=［Ｆ５．６］が、第２レンズユニットのユニット番号に存在するか検索される。第２レンズユニットのユニット番号に［Ｆ５．６］が発見されると、［Ｆ５．６］に対応する位置番号（７）が取得される。挿入位置番号（I_RING_POS_A_INSERT）＝（７）に変更される。第２レンズユニットに対して２−Ａモードが適用される。
【０１９０】
対応絞り値（I_RING_POS_ARRANGE_FNUM）が、第２レンズユニットのユニット番号より小さい場合、挿入位置番号（I_RING_POS_A_INSERT）＝（０）に変更される。例えば、対応絞り値（I_RING_POS_ARRANGE_FNUM）＝［Ｆ２．５］の場合、第２レンズユニットの最小ユニット番号［Ｆ２．８］より小さいので、挿入位置番号（I_RING_POS_A_INSERT）＝（０）に変更される。第２レンズユニットに対して第２変更モードが適用される。
【０１９１】
対応絞り値（I_RING_POS_ARRANGE_FNUM）が、第２レンズユニットのユニット番号より大きい場合、挿入位置番号（I_RING_POS_A_INSERT）＝IP_MAX−1に変更される。例えば、対応絞り値（I_RING_POS_ARRANGE_FNUM）＝［Ｆ４５］の場合、第２レンズユニットの最大ユニット番号［Ｆ３２］より大きいので、挿入位置番号（I_RING_POS_A_INSERT）＝（２２−１）＝（２１）に変更される。第２レンズユニットに対して第２変更モードが適用される。
【０１９２】
対応絞り値（I_RING_POS_ARRANGE_FNUM）が、第２レンズユニットのユニット番号に存在しない場合、対応絞り値（I_RING_POS_ARRANGE_FNUM）に最も近い第２レンズユニットのユニット番号が選択される。選択されたユニット番号に対応する位置番号（Ｎ）が取得され、挿入位置番号（I_RING_POS_A_INSERT）＝（Ｎ）に変更される。
【０１９３】
例えば、対応絞り値（I_RING_POS_ARRANGE_FNUM）＝［Ｆ４．５］で、第２レンズユニットが１／２段の場合、第２レンズユニットのユニット番号［Ｆ４．８］が選択される。このユニット番号［Ｆ４．８］に対応する位置番号（Ｎ）が取得され、挿入位置番号（I_RING_POS_A_INSERT）＝（Ｎ）に変更される。第２レンズユニットに対して第２変更モードが適用される。
【０１９４】
＜第３変更モード＞
図２１は、レンズユニットを交換した後の第３変更モードの算出結果を記載した表である。図２１に示されるように、第１レンズユニットを装着した際、［５．６］以外が全て［Ａ］とされるよう決定されている。したがって、指定位置番号（I_RING_POS_MASK）=（１０）になる。指定位置番号（I_RING_POS_MASK）＝（１０）に対応するユニット番号（対応する絞り値）が、対応絞り値（I_RING_POS_ARRANGE_FNUM）＝［Ｆ５．６］として保持される。
【０１９５】
次に、第２レンズユニットを装着した際、図２１に示される第２レンズユニットの初期状態の対応テーブルの情報が、例えばカメラ制御部１４０に取得される。対応絞り値（I_RING_POS_ARRANGE_FNUM）=［Ｆ５．６］が、第２レンズユニットのユニット番号に存在するか検索される。第２レンズユニットのユニット番号に［Ｆ５．６］が発見されると、［Ｆ５．６］に対応する位置番号（７）が取得される。指定位置番号（I_RING_POS_MASK）＝（７）に変更される。第２レンズユニットに対して３−Ａモードが適用される。
【０１９６】
対応絞り値（I_RING_POS_ARRANGE_FNUM）が、第２レンズユニットのユニット番号より小さい場合、指定位置番号（I_RING_POS_MASK）=（１）に変更される。例えば、対応絞り値（I_RING_POS_ARRANGE_FNUM）＝［Ｆ２．５］の場合、第２レンズユニットの最小ユニット番号［Ｆ２．８］より小さいので、指定位置番号（I_RING_POS_MASK）=（１）に変更される。第２レンズユニットに対して第３変更モードが適用される。
【０１９７】
対応絞り値（I_RING_POS_ARRANGE_FNUM）が、第２レンズユニットのユニット番号より大きい場合、指定位置番号（I_RING_POS_MASK）＝IP_MAXに変更される。例えば、対応絞り値（I_RING_POS_ARRANGE_FNUM）＝［Ｆ４５］の場合、第２レンズユニットの最大ユニット番号［Ｆ３２］より大きいので、指定位置番号（I_RING_POS_MASK）＝（２２）に変更される。第２レンズユニットに対して第３変更モードが適用される。
【０１９８】
対応絞り値（I_RING_POS_ARRANGE_FNUM）が、第２レンズユニットのユニット番号に存在しない場合、対応絞り値（I_RING_POS_ARRANGE_FNUM）に最も近い第２レンズユニットのユニット番号が選択される。選択されたユニット番号に対応する位置番号（Ｎ）が取得され、指定位置番号（I_RING_POS_MASK）＝（Ｎ）に変更される。
【０１９９】
例えば、対応絞り値（I_RING_POS_ARRANGE_FNUM）＝［Ｆ４．５］で、第２レンズユニットが１／２段の場合、第２レンズユニットのユニット番号［Ｆ４．８］が選択される。このユニット番号［Ｆ４．８］に対応する位置番号（Ｎ）が取得され、指定位置番号（I_RING_POS_MASK）＝（Ｎ）に変更される。第２レンズユニットに対して第３変更モードが適用される。
【０２００】
＜第４変更モード＞
図２２は、レンズユニットを交換した後の第４変更モードの算出結果を記載した表である。図２２に示されるように、第１レンズユニットを装着した際、［５．６］に固定されるよう決定されている。したがって、固定位置番号（I_RING_POS_FIX）＝（１０）になる。固定位置番号（I_RING_POS_FIX）＝（１０）に対応するユニット番号（対応する絞り値）が、対応絞り値（I_RING_POS_ARRANGE_FNUM）=［Ｆ５．６］として保持される。
【０２０１】
次に、第２レンズユニットを装着した際、図２２に示される第２レンズユニットの初期状態の対応テーブルの情報が、例えばカメラ制御部１４０に取得される。対応絞り値（I_RING_POS_ARRANGE_FNUM）=［Ｆ５．６］が、第２レンズユニットのユニット番号に存在するか検索される。第２レンズユニットのユニット番号に［Ｆ５．６］が発見されると、［Ｆ５．６］に対応する位置番号（７）が取得される。固定位置番号（I_RING_POS_FIX）＝（７）に変更される。第２レンズユニットに対して４−Ａモードが適用される。
【０２０２】
対応絞り値（I_RING_POS_ARRANGE_FNUM）が、第２レンズユニットのユニット番号より小さい場合、固定位置番号（I_RING_POS_FIX）=（１）に変更される。例えば、対応絞り値（I_RING_POS_ARRANGE_FNUM）＝［Ｆ２．５］の場合、第２レンズユニットの最小ユニット番号［Ｆ２．８］より小さいので、固定位置番号（I_RING_POS_FIX）=（１）に変更される。第２レンズユニットに対して第４変更モードが適用される。
【０２０３】
対応絞り値（I_RING_POS_ARRANGE_FNUM）が、第２レンズユニットのユニット番号より大きい場合、固定位置番号（I_RING_POS_FIX）＝IP_MAXに変更される。例えば、対応絞り値（I_RING_POS_ARRANGE_FNUM）＝［Ｆ４５］の場合、第２レンズユニットの最大ユニット番号［Ｆ３２］より大きいので、固定位置番号（I_RING_POS_FIX）＝（２２）に変更される。第２レンズユニットに対して第４変更モードが適用される。
【０２０４】
対応絞り値（I_RING_POS_ARRANGE_FNUM）が、第２レンズユニットのユニット番号に存在しない場合、対応絞り値（I_RING_POS_ARRANGE_FNUM）に最も近い第２レンズユニットのユニット番号が選択される。選択されたユニット番号に対応する位置番号（Ｎ）が取得され、固定位置番号（I_RING_POS_FIX）＝（Ｎ）に変更される。
【０２０５】
例えば、対応絞り値（I_RING_POS_ARRANGE_FNUM）＝［Ｆ４．５］で、第２レンズユニットが１／２段の場合、第２レンズユニットのユニット番号［Ｆ４．８］が選択される。このユニット番号［Ｆ４．８］に対応する位置番号（Ｎ）が取得され、固定位置番号（I_RING_POS_FIX）＝（Ｎ）に変更される。第２レンズユニットに対して第４変更モードが適用される。
【符号の説明】
【０２０６】
１  カメラシステム
１００  カメラボディ
１０２  レリーズスイッチ
１０４  露出補正ダイヤル
１０６  シャッタースピードダイヤル
１０８  フォーカスモード切換レバー
１１０  ファインダー切換レバー
１１２  レンズ着脱ボタン
１１４  電源レバー
１１６  ホットシュー
１１８  電子ビューファインダー
１１９  光学ファインダー窓
１２０  グリップ
１２２  ボディマウント
１３２  ロックピン
１３６  ボディ信号接点
１３８  イメージセンサ
１４０  カメラ制御部
１４２  バスライン
１４４  画像メモリ
１４６  画像データ処理部
１４８  液晶ドライバ
１５０  表示部
１５２  カードＩ／Ｆ
１５４  ＡＥ処理部
１５６  メモリカード
１６０  コマンドダイヤル
１６２  メニュー決定ボタン
１６４  セレクトボタン
２００  レンズユニット
２０２  光学系
２０４  鏡筒
２０６  フォーカスリング
２０８  絞りリング
２１０  レンズマウント
２１２  マウントカバー
２１４  レンズ信号接点
２１８  表示領域
２１８Ａ  オート表示
２１８Ｂ  露光量表示
２２２  指標
２２４  位置検出部
２２６  レンズ制御部
２２８  モータドライバ
２３０  モータ
２３２  絞りユニット
２３２Ａ  絞り羽根
２４０  符号板
２４２  導電部
２４４  非導電部
２５０  電気接点
２５０Ａ  摺動切片
２５０Ｂ  摺動切片
２５０Ｃ  摺動切片
２５０Ｄ  摺動切片
２５０Ｅ  ネジ
Ｃ１、Ｃ２、Ｃ３、Ｃ４、Ｃ５、Ｃ６、ＧＮＤ  回路配線
ＯＡ  光軸
Ｌ  直線
【図１】
2019039018.tif 000003
【図２】
2019039018.tif 000004
【図３】
2019039018.tif 000005
【図４】
2019039018.tif 000006
【図５】
2019039018.tif 000007
【図６】
2019039018.tif 000008
【図７】
2019039018.tif 000009
【図８】
2019039018.tif 000010
【図９】
2019039018.tif 000011
【図１０】
2019039018.tif 000012
【図１１】
2019039018.tif 000013
【図１２】
2019039018.tif 000014
【図１３】
2019039018.tif 000015
【図１４】
2019039018.tif 000016
【図１５】
2019039018.tif 000017
【図１６】
2019039018.tif 000018
【図１７】
2019039018.tif 000019
【図１８】
2019039018.tif 000020
【図１９】
2019039018.tif 000021
【図２０】
2019039018.tif 000022
【図２１】
2019039018.tif 000023
【図２２】
2019039018.tif 000024
【手続補正書】
【提出日】令和2年2月12日(2020.2.12)
【手続補正１】
【補正対象書類名】特許請求の範囲
【補正対象項目名】全文
【補正方法】変更
【補正の内容】
【特許請求の範囲】
【請求項１】
オートモードに対応する単一のオート表示とマニュアルモードに対応する複数の絞り値とを回転位置に応じて選択する絞りリングを備えるレンズユニットと、前記レンズユニットを交換可能に装着できるカメラボディと、を備えるカメラシステムであって、
前記カメラボディは、
前記単一のオート表示と前記複数の絞り値の並び順を書き換え可能な表示部と、
前記絞りリングの回転位置に対応する前記単一のオート表示と前記複数の絞り値の並び順を変更する変更モードを実行する、カメラ制御部と、
を備え、
前記変更モードは複数のサブ変更モードを含み、
前記複数のサブ変更モードは、前記複数の絞り値の並び順の反転を含む第１変更モードと、前記単一のオート表示の位置を変更する第２変更モードと、前記複数の絞り値から一の絞り値と前記単一のオート表示とに変更する第３変更モードと、前記単一のオート表示と前記複数の絞り値とから一の絞り値のみにする第４変更モードとを含む、カメラシステム。
【請求項２】
前記カメラ制御部は、前記複数のサブ変更モードに応じて、前記絞りリングの回転位置に対応する前記単一のオート表示および前記複数の絞り値の何れかを決定する、請求項１に記載のカメラシステム。
【請求項３】
前記レンズユニットは、前記絞りリングの回転位置を検出する位置検出部と、絞り径を調節する絞りユニットと、前記絞りユニットを駆動するレンズ制御部と、を備え、
前記カメラ制御部は、前記絞りユニットを駆動するための絞り制御信号を前記レンズ制御部に送信する、請求項１又は２に記載のカメラシステム。
【請求項４】
前記絞り制御信号は、前記変更モードに対応する変更モード制御信号と、初期状態の並び順に対応する初期状態制御信号とを含む、請求項３に記載のカメラシステム。
【請求項５】
前記レンズ制御部は、前記絞りリングの回転位置に対応する位置番号と前記位置番号に対応する絞り径の対応関係を記憶し、前記位置番号を前記カメラ制御部に送信する、請求項４に記載のカメラシステム。
【請求項６】
前記カメラ制御部は、前記変更モードにおいて、前記位置番号をアルゴリズムにしたがって新たな位置番号として算出する、請求項５に記載のカメラシステム。
【請求項７】
オートモードに対応する単一のオート表示とマニュアルモードに対応する複数の絞り値とを回転位置に応じて選択する絞りリングを備えるレンズユニットを交換可能に装着できるカメラボディであって、
前記絞りリングの回転位置に対応する前記単一のオート表示と前記複数の絞り値の並び順を変更する変更モードを実行する、カメラ制御部を備え、
前記変更モードは複数のサブ変更モードを含み、
前記複数のサブ変更モードは、前記複数の絞り値の並び順の反転を含む第１変更モードと、前記単一のオート表示の位置を変更する第２変更モードと、前記複数の絞り値から一の絞り値と前記単一のオート表示とに変更する第３変更モードと、前記単一のオート表示と前記複数の絞り値とから一の絞り値のみにする第４変更モードとを含む、
カメラボディ。
【請求項８】
マニュアルモードに対応する複数の絞り値とオートモードに対応する単一のオート表示とを回転位置に応じて選択する絞りリングを備える、レンズユニットであって、
前記絞りリングの回転位置に対応する前記単一のオート表示と前記複数の絞り値の並び順を変更する変更モードを実行するレンズ制御部を備え、
前記変更モードは複数のサブ変更モードを含み、
前記複数のサブ変更モードは、前記複数の絞り値の並び順の反転を含む第１変更モードと、前記単一のオート表示の位置を変更する第２変更モードと、前記複数の絞り値から一の絞り値と前記単一のオート表示とに変更する第３変更モードと、前記単一のオート表示と前記複数の絞り値とから一の絞り値のみにする第４変更モードとを含む、
レンズユニット。
【請求項９】
オートモードに対応する単一のオート表示とマニュアルモードに対応する複数の絞り値とを回転位置に応じて選択する絞りリングを備えるレンズユニットをカメラボディに装着し、前記レンズユニットの前記絞りリングの回転位置に対応する前記単一のオート表示と前記複数の絞り値の初期状態の並び順を取得するステップと、
前記初期状態の並び順を変更するため変更モードを選択するステップと、
前記変更モードに応じて前記初期状態の並び順を変更するステップと、
を含み、
前記変更モードは複数のサブ変更モードを含み、
前記複数のサブ変更モードは、前記複数の絞り値の並び順の反転を含む第１変更モードと、前記単一のオート表示の位置を変更する第２変更モードと、前記複数の絞り値から一の絞り値と前記単一のオート表示とに変更する第３変更モードと、前記単一のオート表示と前記複数の絞り値とから一の絞り値のみにする第４変更モードとを含む、
絞り調節方法。
【請求項１０】
オートモードに対応する単一のオート表示とマニュアルモードに対応する複数の絞り値とを回転位置に応じて選択する絞りリングを備えるレンズユニットをカメラボディに装着し、前記レンズユニットの前記絞りリングの回転位置に対応する前記単一のオート表示と前記複数の絞り値の初期状態の並び順を取得する手順と、
前記初期状態の並び順を変更するため変更モードを選択した後、前記変更モードに応じて前記初期状態の並び順を変更する手順と、
をカメラシステムに実行させるためのプログラムであって、
前記変更モードは複数のサブ変更モードを含み、
前記複数のサブ変更モードは、前記複数の絞り値の並び順の反転を含む第１変更モードと、前記単一のオート表示の位置を変更する第２変更モードと、前記複数の絞り値から一の絞り値と前記単一のオート表示とに変更する第３変更モードと、前記単一のオート表示と前記複数の絞り値とから一の絞り値のみにする第４変更モードとを含む、
プログラム。
【請求項１１】
非一時的かつコンピュータ読取可能な記録媒体であって、前記記録媒体に格納された指令がコンピュータによって読み取られた場合に、
オートモードに対応する単一のオート表示とマニュアルモードに対応する複数の絞り値とを回転位置に応じて選択する絞りリングを備えるレンズユニットをカメラボディに装着し、前記レンズユニットの前記絞りリングの回転位置に対応する前記単一のオート表示と前記複数の絞り値の初期状態の並び順を取得する手順と、
前記初期状態の並び順を変更するため変更モードを選択した後、前記変更モードに応じて前記初期状態の並び順を変更する手順と、
をカメラシステムに実行させるプログラムであって、
前記変更モードは複数のサブ変更モードを含み、
前記複数のサブ変更モードは、前記複数の絞り値の並び順の反転を含む第１変更モードと、前記単一のオート表示の位置を変更する第２変更モードと、前記複数の絞り値から一の絞り値と前記単一のオート表示とに変更する第３変更モードと、前記単一のオート表示と前記複数の絞り値とから一の絞り値のみにする第４変更モードとを含む、
プログラムを保存した記録媒体。
【手続補正２】
【補正対象書類名】明細書
【補正対象項目名】００４８
【補正方法】変更
【補正の内容】
【００４８】
カメラ制御部１４０は、絞りリング２０８の回転位置に応じて絞りユニット２３２を動作させる制御信号をレンズ制御部２２６に送信する。
【手続補正３】
【補正対象書類名】明細書
【補正対象項目名】００５２
【補正方法】変更
【補正の内容】
【００５２】
図４は、レンズユニット２００に設けられた位置検出部２２４の構成を示す拡大斜視図である。図４に示されるように、位置検出部２２４は、符号板２４０と、絞りリング２０８の回転に応じて符号板２４０との接触位置を変化させる電気接点２５０と、を含んでいる。符号板２４０は、鏡筒２０４の外周面に取り付けられる。符号板２４０は、回路配線ＧＮＤ、Ｃ１、Ｃ２、Ｃ３、Ｃ４、Ｃ５およびＣ６により構成される導電部２４２と、回路配線ＧＮＤ、Ｃ１、Ｃ２、Ｃ３、Ｃ４、Ｃ５およびＣ６が構成されない非導電部２４４と、を備える。
【手続補正４】
【補正対象書類名】明細書
【補正対象項目名】００５９
【補正方法】変更
【補正の内容】
【００５９】
同様に、残りの複数の絞り値（［１４］、［１３］、［１１］、［１０］、［９］、［８］、［７．１］、［６．３］、［５．６］、［５］、［４．５］、［４］、［３．５］、［３．２］、［２．８］、［２．５］、［２．２］および［２］）に対応して、異なる電位の信号が出力される。
【手続補正５】
【補正対象書類名】明細書
【補正対象項目名】００７７
【補正方法】変更
【補正の内容】
【００７７】
次に、変更モードの適用の有無、および変更モードの種類を確認する（ステップＳ１８）。レリーズスイッチ１０２が操作されると、カメラ制御部１４０は、変更モードの適用の有無、および変更モードの種類を確認する。変更モードとは、絞りリング２０８の並び順が変更されている状態を意味する。変更モードが適用有りと判断されると、絞りリング２０８の並び順が変更されていると判断される。さらに、カメラ制御部１４０は、変更モードが複数のサブ変更モードを含んでいる場合、変更モードの種類、すなわち、変更モードが何れのサブ変更モードであるか、を確認する。サブ変更モードとは、絞りリング２０８の並び順の種類を意味する。
【手続補正６】
【補正対象書類名】明細書
【補正対象項目名】００８１
【補正方法】変更
【補正の内容】
【００８１】
例えば、ステップＳ１６で、位置番号（１９）が送信されている場合、カメラ制御部１４０は、ある種の変更モードに対応するアルゴリズムにしたがって、位置番号（１９）を新たな位置番号（２）として算出する。カメラ制御部１４０は、位置番号（２）に対応するユニット番号［Ｆ２］を選択し、ボディ信号接点１３６およびレンズ信号接点２１４を介して、ユニット番号［Ｆ２］を絞り制御信号としてレンズ制御部２２６に送信する。レンズ制御部２２６は、ユニット番号［Ｆ２］に基づいて、モータドライバ２２８を制御し、さらに、モータドライバ２２８はモータ２３０を制御する。絞りユニット２３２の絞り羽根２３２Ａは、絞り値２の絞り径になるように駆動される。変更モードが適用されると、絞りリング２０８が［１６］の回転位置に位置合わせされても、実際に撮影する際、絞りユニット２３２は、絞りリング２０８の絞り値［１６］ではなく、変更モード適用後の絞り値［２］となるように駆動される。すなわち、カメラシステム１は、絞りリング２０８の絞り値の並び順ではなく、変更された並び順で撮像することができる。変更モードが適用されているので、絞り制御信号は変更モード制御信号となる。絞り制御信号は変更モード制御信号と初期状態制御信号とを含む。
【手続補正７】
【補正対象書類名】明細書
【補正対象項目名】００８５
【補正方法】変更
【補正の内容】
【００８５】
カメラボディ１００にレンズユニット２００を装着した後、使用者はメニュー決定ボタン１６２を操作し、次いでセレクトボタン１６４で「絞りリング並び順設定」を選択し、メニュー決定ボタン１６２で決定する。カメラ制御部１４０は、図１０に示される表示部１５０に絞りリング並び順設定のメニューを表示する。絞りリング並び順設定のメニュー画面から実行したい変更モードを選択し、次いで決定することにより、変更モードの実行が可能となる。
【手続補正８】
【補正対象書類名】明細書
【補正対象項目名】００８６
【補正方法】変更
【補正の内容】
【００８６】
図１０に示されるように、絞りリング並び順設定のメニューは、デフォルト、並び順変更、ＡＵＴＯ位置設定、および絞り値指定の４つを含んでいる。図１０において、他の３つと異なり、デフォルトが反転表示されている。この表示は、変更モードが適用されていなことを示す。したがって、絞りリング２０８の並び順は初期状態にある。なお、並び順変更、ＡＵＴＯ位置指定、および絞り値指定が、複数のサブ変更モードになる。 
【手続補正９】
【補正対象書類名】明細書
【補正対象項目名】００８７
【補正方法】変更
【補正の内容】
【００８７】
図１１は、セレクトボタン１６４で、並び順変更が選択され、メニュー決定ボタン１６２で決定された状態を示す。図１１において、他の３つと異なり、並び順変更が反転表示されている。さらに、サブメニューが表示される。サブメニューは選択可能な並び順を表示する。サブメニューの一番上は、並び順が、左から右に［Ａ］から［１６］に変更可能であることを示す。初期状態とは異なり、複数の絞り値の順が反転され、複数の絞り値の順は左から右に［２］から［１６］に変更される。一方、単一のオート表示の位置は初期状態と同じである。
【手続補正１０】
【補正対象書類名】明細書
【補正対象項目名】００９１
【補正方法】変更
【補正の内容】
【００９１】
図１２は、セレクトボタン１６４で、ＡＵＴＯ位置指定が選択され、メニュー決定ボタン１６２で決定された状態を示す。図１２において、他の３つと異なり、ＡＵＴＯ位置指定が反転表示されている。さらに、サブメニューが表示される。サブメニューは、オート表示の［Ａ］を配置できる位置を表示する。
【手続補正１１】
【補正対象書類名】明細書
【補正対象項目名】００９２
【補正方法】変更
【補正の内容】
【００９２】
図１２に示されるように、サブメニューには、複数の絞り値の［４］から［７．１］が、上から下に表示されている。サブメニューは、上下方向にスクロール可能であり、複数の絞り値の［２］から［１６］を表示できる。サブメニューには、オート表示に対応する［Ａ］が表示される。オート表示の［Ａ］から複数の絞り値に向けて矢印が表示される。実施形態では、矢印に対応する位置に、左右に延びる直線Ｌが表示される。直線Ｌを挟む位置に、隣接する絞り値の［５］と［５．６］とが表示される。実施形態では、隣接する絞り値の［５］と［５．６］との間に、オート表示を位置させることができる。
【手続補正１２】
【補正対象書類名】明細書
【補正対象項目名】００９５
【補正方法】変更
【補正の内容】
【００９５】
図１３は、セレクトボタン１６４で、絞り値指定が選択され、メニュー決定ボタン１６２で決定された状態を示す。図１３において、他の３つと異なり、絞り値指定が反転表示されている。さらに、サブメニューが表示される。サブメニューは、ＡＵＴＯマスクと固定とを表示する。サブメニューは、さらに、複数の絞り値の［４．５］から［７．１］を上から下に表示する。複数の絞り値は上下方向にスクロールできる。
【手続補正１３】
【補正対象書類名】明細書
【補正対象項目名】０１０３
【補正方法】変更
【補正の内容】
【０１０３】
（１−Ａモード） 
装着されるレンズユニット２００の複数の絞り値の数（いわゆる段数）をIP_MAXとする。図１４に示されるように、初期状態では、絞り値の数は１９である。したがって、IP_MAX＝１９になる。［Ａ］の回転位置に対して、位置番号として、I_RING_POS_DEF_A=（０）が割り振られる。すなわち、［Ａ］の位置番号は（０）となる。複数の絞り値の中で、最も大きな絞り値（いわゆる最小絞り）の［１６］の回転位置に対して、位置番号として、I_RING_POS_DEF_MAX=IP_MAXが割り振られる。すなわち、［１６］の位置番号は（１９）となる。複数の絞り値の中で、最も小さな絞り値（いわゆる開放Ｆ値）の［２］の回転位置に対して、位置番号として、I_RING_POS_DEF_MIN=（１）が割り振られる。すなわち、［２］の位置番号は（１）となる。
【手続補正１４】
【補正対象書類名】明細書
【補正対象項目名】０１０４
【補正方法】変更
【補正の内容】
【０１０４】
実施形態の１９段の絞り値の回転位置に対する位置番号は、最も小さな絞り値の位置番号（１）から（IP_MAX）の間の整数の値を取り得る。したがって、実施形態では、図１４に示されるように、１９段の回転位置（［１６］から［２］）に対して、位置番号は（１９）、（１８）、（１７）、（１６）、（１５）、（１４）、（１３）、（１２）、（１１）、（１０）、（９）、（８）、（７）、（６）、（５）、（４）、（３）、（２）および（１）となる。
【手続補正１５】
【補正対象書類名】明細書
【補正対象項目名】０１０５
【補正方法】変更
【補正の内容】
【０１０５】
実施形態では、初期状態の現在位置番号はI_RING_POS_CURRENT＝（Ｎ）とされ、算出後の新たな位置番号、すなわち新位置番号は、I_RING_POS_REARRANGEとされる。（Ｎ）は、（０）または（１）から（IP_MAX）の整数の値を取り得る。実施形態では（０）または（１）から（１９）の整数を取り得る。
【手続補正１６】
【補正対象書類名】明細書
【補正対象項目名】０１１４
【補正方法】変更
【補正の内容】
【０１１４】
他の絞り値に関して、算出後の位置番号が、図１４の表の１−Ａモード欄に記載されている。各位置番号に対応するユニット番号が記載されている。
【手続補正１７】
【補正対象書類名】明細書
【補正対象項目名】０１４６
【補正方法】変更
【補正の内容】
【０１４６】
現在位置番号（I_RING_POS_CURRENT）≦ 挿入位置番号（I_RING_POS_A_INSERT）が「Ｎｏ」と判断されると（ステップＳ３７）、現在位置番号（I_RING_POS_CURRENT） ≦ 挿入位置番号（I_RING_POS_A_INSERT）＋１かが判断される（ステップＳ３９）。ここで、「Ｙｅｓ」と判断されると、新位置番号（I_RING_POS_REARRANGE）＝（０）になる（ステップＳ４０）。
【手続補正１８】
【補正対象書類名】明細書
【補正対象項目名】０１８５
【補正方法】変更
【補正の内容】
【０１８５】
次に、絞りリング並び順を設定した際に装着していたレンズユニット（以下、第１レンズユニット）と、別のレンズユニット（以下、第２レンズユニット）を装着した場合について説明する。
【手続補正１９】
【補正対象書類名】図面
【補正対象項目名】図１５
【補正方法】変更
【補正の内容】
【図１５】
2019039018.tif 000025
【国際調査報告】
2019039018.tif 000026
2019039018.tif 000027
2019039018.tif 000028
2019039018.tif 000029